(57)【要約】【課題】本体前面側に居るユーザが騒音を殆ど意識しないで済み、また、ユーザがタンクの水量を目視で容易に確認できる加湿機能付き空気清浄機を得る。【解決手段】前面に水量計を有するタンク３を本体ケーシング１の前面側に設け、タンク３の下部にタンク３から滴下する水を受ける水受け皿４を設け、本体ケーシング１の背面側に背面から空気を吸い込んで清浄する空清フィルタ７を設けた。さらに、空清フィルタ７の前面側かつタンク３の背面側に水受け皿４の水を吸い取り、吸い取った水を空気清浄フィルタ７によって清浄化された空気により気化させる気化フィルタ１０を設け、気化フィルタ１０とタンク３の背面側とで風路を形成した。さらに、気化フィルタ１０で加湿された清浄化空気を、風路１１を介して吸い込み、上方から強制的に部屋などの外部空間へ排出するシロッコファン９を気化フィルタ１０の上方に設けた。【選択図】図６
2008039317.tif 000002
【特許請求の範囲】
【請求項１】
本体ケーシングと、
水を貯留し、前面に水量を示す水量計を有するタンクと、
このタンクの下部に設けられ、前記タンクから滴下する水を受ける水受け皿と、
前記本体ケーシングの背面側に設けられ、背面から空気を吸い込んで清浄する空清フィルタと、
前記水受け皿の水を吸い取り、吸い取った水を前記空清フィルタによって清浄化された空気により気化させる気化フィルタと、
駆動装置により駆動され、前記気化フィルタによって生成された水蒸気を含む清浄化された空気を吸い込み強制的に部屋などの外部空間へ排出するファンと、を備え、
前記タンクを前記本体ケーシングの前面側に設けたことを特徴とする加湿機能付き空気清浄機。
【請求項２】
前記タンクの背面に一方の面が接する風路仕切り板を備え、
この風路仕切り板は、少なくとも他方の面が前記ファンと対向する位置まで延設されたことを特徴とする請求項１記載の加湿機能付き空気清浄機。
【請求項３】
前記タンクは、冷水または温水を貯え、
前記風路仕切り板の他方の面と前記気化フィルタの前面との間で前記ファンに連通する風路が形成され、
前記風路仕切り板において、前記冷水または温水が前記風路を通過する空気と熱交換することを特徴とする請求項２記載の加湿機能付き空気清浄機。
【請求項４】
前記風路仕切り板は、風路側の面にフィンを備えたことを特徴とする請求項３記載の加湿機能付き空気清浄機。
【請求項５】
前記タンクの背面と前記気化フィルタの前面との間で風路を形成したことを特徴とする請求項１又は請求項２に記載の加湿機能付き空気清浄機。
【請求項６】
前記タンクの背面上部と前記ファンの前記タンクと対向する側の上部とを接続し、本体の両側面に渡って広がる騒音遮蔽板を備えたことを特徴とする請求項５記載の加湿機能付き空気清浄機。
【請求項７】
前記タンクの下部は略半球状に形成された第１の凸部を有し、
前記水受け皿の前記タンクの下部と接する部分は前記第１の凸部に嵌合する第１の凹部を有し、
前記気化フィルタの下部は略半球状に形成された第２の凸部を有し、
前記水受け皿の前記気化フィルタの下部と接する部分は前記第２の凸部に嵌合する第２の凹部を有することを特徴とする請求項４〜６のいずれかに記載の加湿機能付き空気清浄機。
【請求項８】
前記本体ケーシングの正面に、前記ファンと対向する位置まで延設された扉を備えたことを特徴とする請求項１〜７のいずれかに記載の加湿機能付き空気清浄機。
【発明の詳細な説明】
【技術分野】
【０００１】
本発明は加湿機能を備えた空気清浄機に関するものである。
【背景技術】
【０００２】
従来の加湿機能付き空気清浄機においては、本体ケーシングに加湿部を備えたものが知られている。この加湿機能付き空気清浄機は、本体ケーシング内に加湿を行うためのタンクを背面側に配置し、前面側の空気清浄部の前面から空気を吸い込んで清浄化した後、上面に設けられた吹出口から上方に向かって吹き出す。このとき、上記加湿部の上方から蒸気を吹き出して、清浄化された空気と共に室内に供給される（例えば特許文献１参照）。
【特許文献１】特開２００６-５２９１５号公報（図２、段落０００６、００２４）
【発明の開示】
【発明が解決しようとする課題】
【０００３】
従来の加湿機能付き空気清浄機では、本体前面側から、空気清浄ユニット、ファン、タンクの順に配置された構成になっていた。このため本体前面から見ると、タンクが清浄ユニットやファンに隠れてしまうため、前面側からタンクの水量を確認することが難しく、また、タンクは本体の奥側に配置されていたため、タンクの取り出しや収納などの作業にかなりの労力を必要とするという問題があった。また、室内の自由空間をできるだけ広く確保したいというユーザの要請から加湿機能付き空気清浄機は背面側のタンクを壁に可能な限り近接して配置されるケースが多い。従って、ユーザが介在することが殆どない本体背面側では、騒音はタンクや壁に遮られて小さくなるが、ユーザの居住空間に近い本体前面側は騒音を遮るものがないため、ファンなどの騒音が遮蔽されることなくそのまま本体の前に居るユーザに伝えられ、当該ユーザには耳障りで不快感を抱くという問題があった。
【０００４】
本発明は、上述のような課題を解決するために為されたものであり、本体の前に居るユーザが騒音を殆ど意識しないで済む加湿機能付き空気清浄機を提供することを第１の目的とする。また、ユーザがタンクの水量を目視で容易に確認できる加湿機能付き空気清浄機を提供することを第２の目的とする。
【課題を解決するための手段】
【０００５】
本発明に係る加湿機能付き空気清浄機は、本体ケーシングと、前面に水量を示す水量計を有するタンクと、タンクの下部に設けられ、タンクから滴下する水を受ける水受け皿と、本体ケーシングの背面側に設けられ背面から空気を吸い込んで清浄する空清フィルタと、水受け皿の水を吸い取り吸い取った水を前記空清フィルタによって清浄化された空気により気化させる気化フィルタと、気化フィルタによって生成された水蒸気を含む清浄化された空気を吸い込み強制的に部屋などの外部空間へ排出するファンと、を備え、タンクを本体ケーシングの前面側に設けるようにしたものである。
【発明の効果】
【０００６】
本発明によれば、タンクを加湿機能付き空気清浄機の本体ケーシングの前面側に配置するようにしたので、本体から発生する騒音はタンクやタンク内の水によって遮蔽されるため、加湿機能付き空気清浄機の前面に居るユーザは加湿機能付き空気清浄機から発生する騒音を殆ど意識することがない。また、ユーザはタンクの水量を目視で容易に確認することができる。
【発明を実施するための最良の形態】
【０００７】
実施の形態１．
図１は本発明の実施の形態１における加湿機能付き空気清浄機の前面側斜視図であり、図２は加湿機能付き空気清浄機の背面側斜視図である。また、図３は加湿機能付き空気清浄機の正面図であり、図４は加湿機能付き空気清浄機の背面図である。また、図５は水受け皿と気化フィルタと風路仕切り板との配置関係を示す斜視図であり、同時に空気の移動方向を示している。また、図６は加湿機能付き空気清浄機を横方向から見た側面断面図であり、同時に空気の移動方向を示している。また、図７は図６において、タンクを取り外した場合を示す側面断面図である。
【０００８】
次に、本発明の実施の形態１における加湿機能付き空気清浄機の構成を図１〜図７を用いて説明する。
加湿機能付き空気清浄機は、本体ケーシング１の前面側に設けられた扉２と、扉２の背面側に設けられ、水量計３０１を前面に備えたタンク３と、タンク３の下部に設けられた水受け皿４と、本体ケーシング１の背面側に着脱自在に設けられたフィルタカバー５と、フィルタカバー５の前面側に設けられた脱臭フィルタ６と、脱臭フィルタ６の前面側に設けられ、空中に浮遊する微細塵を捕集する空気清浄用の空清フィルタ７と、この空清フィルタ７の前面側に設けられ、ファンモータ８によって駆動される吸排気用シロッコファン９と、このシロッコファン９の下方に設けられ、空清フィルタ７の前面側に設けられた気化フィルタ１０と、タンク３の背面に接して設けられ、気化フィルタ１０の前面側との間で風路１１を形成する風路仕切り板１２と、上記ファンモータ８の運転制御用の電源基板１３及び操作基板１４とから構成されている。操作基板１４には操作部１４１が設けられている。タンク３の背面側の表面には風路仕切り板１２の一方の面が接し、この風路仕切り板１２は、少なくとも他方の面がシロッコファン９と対向する位置まで延設されている。また、扉２には把手１５が取り付けられており、タンク３には把手１６が取り付けられている。また、図３に示すように扉２の左側が支持部１７及び１７１によって軸支されており、ユーザが扉２の右側に取り付けられている把手１５に手をかけて手前に引くことで扉２の右側が支持部１７及び１７１を軸として回転して手前に開くように構成されている。なお、扉にタンク３の水量計３０１を確認する窓を形成しても良い。この場合、窓を単なる開口としてもよいし、窓に透明板を取り付けてもよい。これにより、ユーザは扉２を開けることなく、タンク３内の水量をいつでも確認できるようになる。また、図４に示すように、本体背面の吸い込み部１８から空気が吸い込まれ、本体上部の空気吐出口１９から空気が吐出される。また、シロッコファン９と気化フィルタ１０を一直線上に配置する。これにより、風路１１も一直線上に形成されるので、排気流の風路抵抗を低減することが可能になる。
【０００９】
図５に示すように気化フィルタ１１は毛管現象により水を吸い込み易いフィルタ材と、このフィルタ材を収納し固定する枠体とによって構成されている。運転中、空気は背面から水平に気化フィルタ１０を通過し、気化フィルタ１０を通過した空気は気化フィルタ１０と風路仕切り板１２１とによって構成される風路１１を上昇して上方に位置するシロッコファン９に吸い込まれる。なお、風路仕切り板１２１を上方に延設させて風路仕切り板１２を兼ねるようにしてもよい。
【００１０】
次に、本実施の形態１の機能について説明する。給水のためタンク３を水受け皿４から取り外す場合には、まず扉２の把手１５に手をかけて手前に引き扉２を開く。次に、タンク３の把手１６に手をかけてタンク３を上方に持ち上げながら前方へ引き出す。これにより、タンク３の下部の孔に貫入していた突起部２０が抜けてタンク３を手前に取り出すことができる。図７はタンク３を取り出した後の様子を示している。
また、給水の完了したタンク３を再び収納する場合には、上記と同様にして扉２を開いた後、タンク３の把手１６に手をかけたままタンク３を後方へ押し込みながらタンク３の下部を水受け皿４の凹部に合わせて落とす。これにより、タンク３の下部の孔に水受け皿４の突起部２０が貫入し、タンク２内の水が水受け皿４に滴下するようになる。
【００１１】
空気は図５および図６に示すように本体の背面側（背面および背面側の両側端の少なくとも一方）からシロッコファン９の吸引力によって太い白抜きの矢印で示す方向に吸い込まれ、脱臭フィルタ６によって脱臭され、空清フィルタ７によって清浄化される。このように背面だけでなく、背面側の両側端を含むようにすることで、吸い込み有効面積が拡大するので吸入効率を高めることができる。
空清フィルタ７の上部を通過して脱臭且つ清浄化された空気は直接シロッコファン９へ導かれる。
【００１２】
また、空清フィルタ７の下部を通過して脱臭かつ清浄化された空気は、気化フィルタ１０を通過する。このとき、気化フィルタ１０が水受け皿４から吸い込んだ水分は上記脱臭及び清浄化された空気によって気化され、風路１１を通って、シロッコファン９へ導かれる。シロッコファン９はファン用モーター８によって駆動され、乾燥した清浄空気と加湿された清浄空気は混合された状態で本体上部の空気吐出口１９から吐出され、部屋に供給される。
【００１３】
また、シロッコファン９や本体ケーシング１などから発生する騒音は風路仕切り板１２により遮蔽されるので、相当減衰できる。さらに、風路仕切り板１２の前方にはタンク３および扉２が配置されており、扉が閉まっている場合には２重遮蔽効果により騒音を相当減衰できる。特に、タンク３には水が貯えられており、この水によりかなり吸収されるので、前面側に居るユーザは騒音を殆ど意識しないで済む。
【００１４】
なお、熱発生源の１つである電源基板１３を冷却するために、風路１１を通過した空気の一部が風路１１の上方に設置されている電源基板１３に到達してこの電源基板１３から発生する熱を冷却する。電源基板１３で熱交換された空気はシロッコファン９により吸い込まれ、上部の空気吐出口１９から上方に吐出され、室内に供給される。
【００１５】
本実施の形態１によれば、タンクを加湿機能付き空気清浄機の本体ケーシングの前面側に配置するようにし、本体から発生する騒音は騒音仕切り板によって遮蔽されるため、加湿機能付き空気清浄機の前に居るユーザは加湿機能付き空気清浄機から発生する騒音を殆ど意識しなくて済むという効果を奏する。また、加湿機能付き空気清浄機の前に居るユーザはタンクの水量を目視で容易に確認できるという効果を奏する。
【００１６】
実施の形態２．
図１〜４は本実施の形態２でも用いられる。図８は本発明の実施の形態３における加湿機能付き空気清浄機の構成を示す図であり、風路仕切り板以外は図６の構成と同じであるため、説明を省略する。本実施の形態２では、実施の形態１で用いられた風路仕切り板１２の一部をカットした風路仕切り板１２２を用い、風路仕切り板１２のカットされた部分をタンク３の背面部によって補ったものである。即ち、風路１１は気化フィルタ１０の前面側とタンク３の背面側および風路仕切り板１２２の背面側で構成され、シロッコファン９に連通するように構成されている。図９は図８において、タンクを取り外した場合を示す側面断面図である。
【００１７】
次に、本実施の形態２の機能について図１〜４及び図８〜９を用いて説明する。各構成要素の機能および空気の流れは実施の形態１のそれと同様であるため、異なる点のみについて説明する。タンク３と取り出す場合には実施の形態１と同様に行う。図９はタンク３を取り出した後の様子を示している。気化フィルタ４で加湿・清浄化された空気は風路１１を通り、シロッコファン９に導かれる。以後の動作は実施の形態１と同様である。
また、シロッコファン９や本体ケーシング１などから発生する騒音は風路仕切り板１２１、タンク３により相当減衰できる。特に、タンク３には水が貯えられており、この水によりかなり吸収されるので、前面側に居るユーザは騒音を殆ど意識しないで済む。また、タンクのない部分は扉も閉まっている場合には風路仕切り板と扉の２重遮蔽効果により騒音の減衰を相当大きくできる。
【００１８】
本実施の形態２によれば、タンクを加湿機能付き空気清浄機の本体ケーシングの前面側に配置し、かつタンクの背面側を空気が通過するようにしたので、本体から発生する騒音はタンクの背面及びタンク内の水によって遮蔽され相当減衰されるため、加湿機能付き空気清浄機の前面側に居るユーザが加湿機能付き空気清浄機本体から発生する騒音を意識しなくて済むという効果を奏する。また、加湿機能付き空気清浄機の前に居るユーザはタンクの水量を目視で容易に確認できるという効果を奏する。
【００１９】
実施の形態３．
図１〜４は本実施の形態３でも用いられる。図１０は本発明の実施の形態３における加湿機能付き空気清浄機の構成を示す図であり、騒音遮蔽板２１が追加された以外は図８と同じなので、相違点のみについて説明する。図１０に示すように本実施の形態３では、タンク３の背面上部とシロッコファン９のタンク３に対向する側の上部とを接続し、本体の両側面に渡って広がる騒音遮蔽板２１を設けたので、シロッコファン９から前方に到達する騒音はすべて水を含んだタンク３に導かれる。タンク３は水が満たされており、水の騒音吸収効率は図８の風路仕切り板１２１よりも高いため、実施の形態１及び２よりも騒音の吸収効率が高くなる。従って、加湿機能付き空気清浄機の前面に居るユーザが加湿機能付き空気清浄機から発生する騒音をさらに意識しなくて済むという効果を奏する。また、加湿機能付き空気清浄機の前に居るユーザはタンクの水量を目視で容易に確認できるという効果を奏する。
【００２０】
実施の形態４．
図１〜４は本実施の形態４でも用いられる。図１１は本発明の実施の形態４における加湿機能付き空気清浄機の構成を示す図である。ここでは、構成上異なる部分のみについて説明する。タンク３１の下部は半球状の凸部を構成し、水受け皿４１のタンク当接部４１１はタンクの半球状下部に嵌合するように半球状の凹部を形成している。また、突起部２０によって貫入されるタンク３１の下部孔は水受け皿４を引き出すときに突起部２０がタンク３下部孔から抜けやすいように突起部２０よりも大きめのサイズの孔が開けられている。また、気化フィルタ１０１の丈は実施の形態１〜３よりも短く下部は半球状の凸部を構成し、水受け皿４１の気化フィルタ当接部４１２は気化フィルタ１０１の半球状下部に嵌合するように半球状の凹部を構成している。
また、気化フィルタ４１は上部の本体ケーシング２２に着脱自在に固定されている。
また、タンク３１の下部は少し細く構成されており、このタンク３１を本体ケーシング２２に固定して取り付けられたストッパ２３の先端がタンク３１の細身の部分の近傍に張り出しており、タンク３１が下がった場合、タンク３１の太身の部分にストッパ２３の先端が当接して停止することでタンク３１がこれ以上、下がらないように構成されている。
【００２１】
次に、本実施の形態４の機能について図１１を用いて説明する。水受け皿４１を引き出す場合には、タンク３を取り外すことなく、水受け皿４１の把手に手をかけて実施の形態１〜３のときよりも少し力強く引き出す。これにより、タンク３１下部の半球状凸部が水受け皿４１のタンク当接部４１１により徐々に押し上げられ、タンク下部の孔に貫入していた突起部２０が孔から外れる。また、同時に気化フィルタ１０１は弾性材で構成されているため、気化フィルタ１０１下部の半球状凸部が水受け皿４１の気化フィルタ当接部４１２により徐々に押し上げられ、弾性部材が歪むことにより気化フィルタ１０１は上部の本体ケーシング２２に固定された状態で水受け皿４１から外れる。これにより、水受け皿４１は前方に引き出すことが可能である。なお、タンク３１は水受け皿４１によって一端上に持ち上げられた後、重力により自然に下がり、ストッパ２３の位置で停止する。また、気化フィルタ１０１の下部も水受け皿４１によって一端上方に持ち上げられた後、重力により自然に下がるが、気化フィルタ１０１は上部の本体ケーシング２２に固定されているので宙吊り状態になる。なお、この気化フィルタ１０１はネジや爪や挟持などにより着脱自在に取り付けられている。例えば、挟持の場合には気化フィルタ１０１の上部枠体が本体ケーシング２２の両側に設けられ奥になるほど狭くなるレール状のガイドに合わせて奥に押し込むことでガイドに挟まれた状態で取り付けられる。この気化フィルタ１０１を清掃する場合には、タンク３１を取り出した上で、気化フィルタ１０１の後ろに手を入れて少し力を入れて気化フィルタ１０１を前方に引き出すことで、気化フィルタ１０１を容易に取り出すことができる。取り付ける場合には逆の手順で行えばよい。
【００２２】
本実施の形態４によれば、実施の形態１〜２の効果に加え、水受け皿を取り出したり収納したりする場合には、タンクをいちいち取り外さなくてもよいので、作業効率が良くなり、なお且つ作業負荷が軽減されるという効果を奏する。
【００２３】
実施の形態５．
図１〜４、図８は本実施の形態５でも用いられる。室内が暑い場合には、予め加湿機能付き空気清浄機のタンク３に冷水を入れることで、気化フィルタ１０を通過した空気は風路１１を通過する過程で、タンク３の背面において、タンクの冷水との熱交換により冷やされる。これにより、冷えた空気がシロッコファン９に吸い込まれ、本体上部の空気吐出口１９より上方に吐出されて室内に供給される。これにより、加湿された清浄化空気で室内の冷房が可能になり、ユーザの快適度を向上させることができる。
逆に、室内が寒い場合には、予め加湿機能付き空気清浄機のタンク３に温水を入れることで、気化フィルタ１０を通過した空気は風路１１を通過する過程で、タンク３の背面において、タンクの温水との熱交換により温められる。これにより、温められた空気がシロッコファン９に吸い込まれ、本体上部の空気吐出口１９より上方に吐出されて室内に供給される。これにより、加湿された清浄化空気で室内の暖房が可能になり、ユーザの快適度を向上させることができる。
なお、上記の例では、風路内の空気が直接タンクと接する場合について説明したが、図６に示すように風路仕切り板１２を介して風路の空気とタンク３の水が熱交換してもよい。この場合には、風路仕切り板１２は下方に行くほど徐々に風路が広くなるようにわずかに傾斜するようにしてもよい。これにより、タンク３を収納するときに奥に押し込みながら落とし込む際に、タンク３の背面と風路仕切り板とがより密接に接触することになる。これにより、タンク３から風路仕切り板１２への熱伝導において、無駄が少なくなり、冷水または温水と空気との熱交換効率が向上する。なお、この場合にはタンクが多少斜めになっても問題ないようにタンク３と扉の間に余裕の空間を設けておく。
また、図１２に示すように風路仕切り板１２の風路側の面にフィンを付加してもよい。フィンを付加することにより、熱交換効率が向上する。
【００２４】
なお、上記の例ではシロッコファンを例に挙げて説明したが、これに限るものではないことはいうまでもない。例えば、プロペラ型ファンを用いてもよい。
【図面の簡単な説明】
【００２５】
【図１】本発明の実施の形態１〜４における加湿機能付き空気清浄機の前面側斜視図である。
【図２】本発明の実施の形態１〜４における加湿機能付き空気清浄機の背面側斜視図である。
【図３】本発明の実施の形態１〜４における加湿機能付き空気清浄機の正面図である。
【図４】本発明の実施の形態１〜４における加湿機能付き空気清浄機の背面図である。
【図５】本発明の実施の形態１における水受け皿と気化フィルタと風路仕切り板との配置関係を示す斜視図である。
【図６】本発明の実施の形態１における加湿機能付き空気清浄機を横方向から見た側面断面図である。
【図７】図６において、タンクを取り外した場合を示す側面断面図である。
【図８】図８は本発明の実施の形態３における加湿機能付き空気清浄機の構成を示す図である。
【図９】図８において、タンクを取り外した場合を示す側面断面図である。
【図１０】本発明の実施の形態３における加湿機能付き空気清浄機の構成を示す図である。
【図１１】本発明の実施の形態４における加湿機能付き空気清浄機の構成を示す図である。
【図１２】本発明の実施の形態５における加湿機能付き空気清浄機の構成を示す図である。
【符号の説明】
【００２６】
１  本体ケーシング、２  扉、３  タンク、４  水受け皿、５  フィルタカバー、６  脱臭フィルタ、７  空清フィルタ、８  ファンモータ、９  シロッコファン、１０  気化フィルタ、１１  風路、１２  風路仕切り板、１３  電源基板、１４  操作基板、１５  把手、１６  把手、１７  支持部、１８  吸い込み部、１９  空気吐出口、２０  突起部、２１  騒音遮蔽板、２２  本体ケーシング、２３  ストッパ、３１  タンク、４１  水受け皿、１０１  気化フィルタ、１２１  風路仕切り板、１２２  風路仕切り板、１４１  操作部、１７１  支持部、３０１、水量計、４１１  タンク当接部、４１２  気化フィルタ当接部。
【図１】
2008039317.tif 000003
【図２】
2008039317.tif 000004
【図３】
2008039317.tif 000005
【図４】
2008039317.tif 000006
【図５】
2008039317.tif 000007
【図６】
2008039317.tif 000008
【図７】
2008039317.tif 000009
【図８】
2008039317.tif 000010
【図９】
2008039317.tif 000011
【図１０】
2008039317.tif 000012
【図１１】
2008039317.tif 000013
【図１２】
2008039317.tif 000014